(57)【要約】      （修正有）【課題】誰でも容易に素早く商品カタログを作成できるようにする。【解決手段】コンピュータを、基本版面に任意の数のレイアウト領域を作成できるレイアウト領域作成インターフェースを提供する手段、個々のレイアウト領域ごとに、商品データベースに商品データが保存されている商品からレイアウト領域に配置する商品を選択することを含む設定を行えるレイアウト領域設定インターフェースを提供する手段、選択された商品をレイアウト領域に配置する手段として機能させることを特徴とする商品カタログ自動作成プログラム。【選択図】図１
2008009597.tif 000002
【特許請求の範囲】
【請求項１】
コンピュータを、
基本版面に任意の数のレイアウト領域を作成できるレイアウト領域作成インターフェースを提供する手段、
個々のレイアウト領域ごとに、商品データベースに商品データが保存されている商品からレイアウト領域に配置する商品を選択することを含む設定を行えるレイアウト領域設定インターフェースを提供する手段、
選択された商品をレイアウト領域に配置する手段として機能させることを特徴とする商品カタログ自動作成プログラム。
【請求項２】
前記設定は、選択された商品をレイアウト領域に配置する際、選択された商品の文字データのレイアウトを定める小組テンプレートを、小組テンプレートデータベースに保存されている各種の小組テンプレートから選択することも含み、
前記選択された商品をレイアウト領域に配置する手段は、選択された商品をレイアウト領域に配置する際、選択された商品の文字データのレイアウトを、選択された小組テンプレートに従って行うことを特徴とする請求項１に記載の商品カタログ自動作成プログラム。
【請求項３】
請求項１又は２記載の商品カタログ自動作成プログラムを実行して、請求項１又は２に記載の各手段として機能しているコンピュータであることを特徴とする商品カタログ自動作成装置。
【発明の詳細な説明】
【技術分野】
【０００１】
本発明は、商品カタログを作成する技術に関する。
【背景技術】
【０００２】
従来から、個々の顧客ごとに、個々の顧客のニーズに応じて、オンデマンドカタログとも呼ばれる商品カタログを作成し、提案書として個々の顧客に提供することが行われている。
【０００３】
ところで、従来のＤＴＰソフトウエアは、それを利用した商品カタログ作成を行うために、数多くの設定用インターフェースを用意しており、これらの設定用インターフェースで様々な設定を行う必要がある。
【０００４】
しかしながら、それらを設定するためには、職人並みの知識と技が必要である。つまり、従来のＤＴＰソフトウエアは、以下の（１）〜（３）の点で操作難易度が高いと考えられる。
【０００５】
（１）ＤＴＰソフトウエア自体の習得負荷が高い。
【０００６】
（２）細かいところまで設定はできるものの、設定がありすぎて面倒である。
【０００７】
（３）設定要素は専門的な知識を必要とするので、ＤＴＰソフトウエアを知っている人でないと操作難易度が高い。
【０００８】
従来から、様々な設定条件を保存して再利用する技術が知られている（例えば特許文献１）。しかし、再利用できる設定条件が保存されていなければ、新たに設定作業を行わなければならず、設定作業の難しさそのものを改善するものではない。
【０００９】
このように、従来のＤＴＰソフトウエアは操作難易度が高いので、オンデマンドカタログを作成する場合であっても、専門のＤＴＰオペレーターが作業を行う。
【００１０】
しかしながら、現在では、スピーディな商品流出入と販促活動が求められるため、ＤＴＰオペレーターからのレスポンスを待つ時間が限られるか、或は、そのレスポンスを待てない状況になっている。
【００１１】
つまり、ＤＴＰオペレーターに限らず、営業、販促担当者自らが、オンデマンドカタログを作成することで、販促活動のテンポアップを行う必要に迫られている。
【特許文献１】特開平６−２８９５８８号公報
【発明の開示】
【発明が解決しようとする課題】
【００１２】
本発明は斯かる背景技術に鑑みてなされたもので、誰でも容易に素早く商品カタログを作成できるようにすることを課題とする。
【課題を解決するための手段】
【００１３】
本発明において上記課題を達成するために、まず請求項１の発明では、コンピュータを、
基本版面に任意の数のレイアウト領域を作成できるレイアウト領域作成インターフェースを提供する手段、
個々のレイアウト領域ごとに、商品データベースに商品データが保存されている商品からレイアウト領域に配置する商品を選択することを含む設定を行えるレイアウト領域設定インターフェースを提供する手段、
選択された商品をレイアウト領域に配置する手段として機能させることを特徴とする商品カタログ自動作成プログラムとしたものである。
【００１４】
また請求項２の発明では、前記設定は、選択された商品をレイアウト領域に配置する際、選択された商品の文字データのレイアウトを定める小組テンプレートを、小組テンプレートデータベースに保存されている各種の小組テンプレートから選択することも含み、
前記選択された商品をレイアウト領域に配置する手段は、選択された商品をレイアウト領域に配置する際、選択された商品の文字データのレイアウトを、選択された小組テンプレートに従って行うことを特徴とする請求項１に記載の商品カタログ自動作成プログラムとしたものである。
【００１５】
また請求項３の発明では、請求項１又は２記載の商品カタログ自動作成プログラムを実行して、請求項１又は２に記載の各手段として機能しているコンピュータであることを特徴とする商品カタログ自動作成装置としたものである。
【発明の効果】
【００１６】
請求項１に係る発明、及び、請求項１に記載の各手段として機能している請求項３に係る発明は、基本版面内にレイアウト領域を作成して、このレイアウト領域に配置する商品を選択するだけで、選択された商品がレイアウト領域に配置されるので、誰でも容易に素早く商品カタログを作成できるという効果がある。
【００１７】
また請求項２に係る発明、及び、請求項２に記載の各手段として機能している請求項３に係る発明は、選択された商品の文字データのレイアウトについて、好ましいものを、誰でも容易に素早く決めることができるという効果もある。
【発明を実施するための最良の形態】
【００１８】
以下に、本発明の最良の一実施形態を説明する。
【００１９】
本実施形態の商品カタログ自動作成プログラムは、図１に示すように、ビジネスアプリを実行し、商品データベースと小組テンプレートデータベースとにアクセス可能なコンピュータで実行される。このコンピュータのことを、本コンピュータとも云うことにする。
【００２０】
商品データベースは、各商品の商品データを商品単位で保存するデータベースである。ここで、商品データとは、個々の商品に係るデータのことで、例えば、写真やイラストなどの図面データ、品番や品名そして価格等の文字データがある。
【００２１】
小組テンプレートデータベースは、各種の小組テンプレートを保存するデータベースである。ここで、小組テンプレートとは、商品単位で商品データをレイアウトする際に、文字データのレイアウトを定めるデータである。
【００２２】
商品データベースと小組テンプレートデーベースとは、例えば、インターネットなどのネットワークを介して、本コンピュータにアクセス可能なものであっても良いし、或いは、ＣＤ−ＲＯＭなどの記録媒体に構築されており、この記録媒体の本コンピュータが備える読取装置を介して、本コンピュータにアクセス可能なものであっても良い。
【００２３】
ビジネスアプリは、ビジネス用途で広く使用されているアプリケーションソフトウエアのことで、例えば、マイクロソフト社製のＥｘｃｅｌ、ＰｏｗｅｒＰｏｉｎｔなどがある。
【００２４】
本実施形態の商品カタログ自動作成プログラムは、ビジネスアプリのインターフェースを利用して、基本版面内に任意の数のレイアウト領域を作成できるレイアウト領域作成用インターフェースを、本コンピュータに提供させる。このビジネスアプリのインターフェースは、例えば、マイクロソフト社製のＥｘｃｅｌのワークシートを使って作業を行うインターフェースであっても良いし、或いは、マイクロソフト社製のＰｏｗｅｒＰｏｉｎｔのスライドを作成するインターフェースであっても良い。
【００２５】
基本版面は、商品カタログのページ内で、この商品カタログの内容を記載する領域を意味する。
【００２６】
レイアウト領域は、ここに商品単位で商品データをレイアウトするものである。尚、商品単位で商品データをレイアウトすることを、商品を配置するとも言う。
【００２７】
レイアウト領域の形状は、例えば、矩形、多角形、円などであっても良い。レイアウト領域の形状が矩形である場合、このレイアウト領域を、矩形レイアウト領域とも云う。
【００２８】
図２に、基本版面内に複数の矩形レイアウト領域が作成された例を示す。図２の例では、基本版面１内に、矩形レイアウト領域２と、矩形レイアウト領域３とが作成されている。また図４に図２に示す各矩形レイアウト領域に商品を配置した例を示す。
【００２９】
本実施形態の商品カタログ自動作成プログラムは、個々のレイアウト領域ごとに、個々のレイアウト領域を設定するためのレイアウト領域設定用インターフェースを、本コンピュータに提供させる。以後、レイアウト領域設定用インターフェースの例として、矩形レイアウト領域設定用インターフェースを説明する。矩形レイアウト領域設定用インターフェースは、構成要素として、図３に示すような、矩形レイアウト設定画面と、商品データ検索パネル画面とを含む。
【００３０】
商品データ検索パネル画面では、商品データベースに商品データが保存されている商品を、カテゴリ、キーワード、リスト、ブックマークで、それぞれ検索できる。検索結果は、領域１１に表示される。
【００３１】
また商品検索パネル画面のボタン１２を、マウスで押すと、小組テンプレートデータベースに保存されている小組テンプレートの一覧が表示される。そして、その一覧から、小組テンプレートを一つマウスで選択すると、選択した小組テンプレートが領域１３に表示される。
【００３２】
矩形レイアウト設定画面の配置商品リストは、矩形レイアウト領域に配置する商品と、この商品を矩形レイアウト領域に配置する際に文字データのレイアウトを定めるのに用いられる小組テンプレートとの一覧を表示している。商品データ検索パネルの領域１１に検索結果として表示されている商品の何れかを、配置商品リストへマウスでドラッグ・アンド・ドロップ（ｄｒａｇ＆ｄｒｏｐ）すると、ドラッグ・アンド・ドロップされた商品が、矩形レイアウト領域に配置する商品として、また、領域１３に表示されている小組テンプレートが、ドラッグ・アンド・ドロップされた商品を矩形レイアウト領域に配置する際に文字データのレイアウトを定めるのに用いられる小組テンプレートとして、配置商品リストに追加される。
【００３３】
矩形レイアウト設定画面の商品配置設定には、レイアウト開始と、レイアウト数と、レイアウト間隔とがある。レイアウト開始は、矩形レイアウト領域で商品の配置を開始する位置を、矩形レイアウト領域の上端からの距離（縦マージン）と、矩形レイアウト領域の左端からの距離（横マージン）とで表すものである。またレイアウト数は、矩形レイアウト領域に配置する商品の数を、Ｘ方向に並べる数と、Ｙ方向に並べる数で表すものである。またレイアウト間隔は、矩形レイアウト領域に商品を配置する際の、Ｘ方向に隣り合う商品同士の間隔と、Ｙ方向に隣り合う商品同士の間隔とである。
【００３４】
また矩形レイアウト設定画面の矩形設定には、開始位置と、矩形サイズとがある。開始位置は、基本版内で矩形レイアウト領域の作図を開始する位置を、ＸＹ座標の値で表したものである。また、矩形サイズは、矩形レイアウト領域の大きさを、その縦横の長さで表したものである。
【００３５】
矩形レイアウト設定画面のＯＫボタン又は適用ボタンをマウスで押すと、まず、基本版内で矩形レイアウト領域の作図を開始する位置と、矩形レイアウト領域の大きさとが、それぞれ、矩形レイアウト設定画面の矩形設定の開始位置と矩形サイズとに示されている値になる。
【００３６】
次に、矩形レイアウト設定画面の配置商品リストに表示されている商品が、同設定画面のレイアウト開始で示される位置から、同設定画面のレイアウト間隔で示される間隔で、同設定画面のレイアウト数で示される数だけ、矩形レイアウト領域に配置される。この際、各商品の文字データのレイアウトについては、矩形レイアウト設定画面の配置商品リストにおいて、それぞれの商品と一緒に表示されている小組テンプレートに従って行われる。
【００３７】
例えば、図２に示す矩形レイアウト領域２について、矩形レイアウト設定画面と、商品データ検索パネル画面とが、図３に示すようなものであったとき、この矩形レイアウト設定画面のＯＫボタン又は適用ボタンをマウスで押すと、この矩形レイアウト領域２は図４に示すようなものとなる。
【００３８】
尚、ＯＫボタンを押した場合には、矩形レイアウト設定画面と、商品データ検索パネル画面とが閉じられる。他方、適用ボタンを押した場合には、矩形レイアウト設定画面と、商品データ検索パネル画面とは開いたままである。
【図面の簡単な説明】
【００３９】
【図１】本実施形態の商品カタログ自動作成プログラムを実行する環境を示す図。
【図２】基本版面内に複数の矩形レイアウト領域が作成された例を示す図。
【図３】矩形レイアウト設定画面の例と商品データ検索パネル画面の例とを示す図。
【図４】図２に示す各矩形領域に商品を配置した例を示す図。
【符号の説明】
【００４０】
１…基本版面
２…矩形レイアウト領域
３…矩形レイアウト領域
１１…領域
１２…ボタン
１３…領域
【図１】
2008009597.tif 000003
【図２】
2008009597.tif 000004
【図３】
2008009597.tif 000005
【図４】
2008009597.tif 000006